(57)【要約】【課題】施錠状態に加え、非施錠抜け止め状態、すなわち、不用意なプラグの抜去が規制され、かつ、抜去操作は許容される状態をもたせることにより使い勝手を高めたプラグの連結構造の提供を目的とする。【解決手段】プラグ１のプラグ栓刃２をコンセント３に形成される湾曲形状のプラグ差し込み口４の初期挿入位置に挿入した後、終端位置まで回転させてコンセント３のコンタクト５に接続するプラグの連結構造であって、  前記プラグ１は終端回転位置においてコンセント３に係止して抜け止めされるとともに、  プラグ１には、施錠状態においてコンセント３に係止解除不能に係止して該プラグ１を終端位置に拘束する施錠部６が設けられる。【選択図】  図６
2010161027.tif 000002
【特許請求の範囲】
【請求項１】
プラグのプラグ栓刃をコンセントに形成される湾曲形状のプラグ差し込み口の初期挿入位置に挿入した後、終端位置まで回転させてコンセントのコンタクトに接続するプラグの連結構造であって、
前記プラグは終端回転位置においてコンセントに係止して抜け止めされるとともに、
プラグには、施錠状態においてコンセントに係止解除不能に係止して該プラグを終端位置に拘束する施錠部が設けられるプラグの連結構造。
【請求項２】
前記コンセントのコンタクトには、終端位置においてプラグ栓刃の孔に係止し、初期挿入位置側への移動面に対しては斜行して当該方向の移動を許容するとともに、プラグ栓刃の抜去方向移動面に対して直交してプラグを抜け止めする錐面状周壁を有する抜け止め突起が設けられる請求項１記載のプラグの連結構造。
【請求項３】
前記施錠部は、真正な解錠キーによる回転操作が可能なシリンダを備えたシリンダ錠と、
シリンダへの回転操作によりコンセントに係脱するロック体とを有する請求項１または２記載のプラグの連結構造。
【請求項４】
前記ロック体は、シリンダの後端に形成されてシリンダの回転軸長方向に延びる杆状部の端部に係止片を張り出して形成されるとともに、
シリンダ錠はプラグケースに対して軸長方向に移動操作自在であり、
かつ、コンセントには、終端位置においてロック体が進入するロック孔が開設される請求項３記載のプラグの連結構造。
【請求項５】
プラグ栓刃を保持するプラグケースと、
プラグケースに保持され、真正な解錠キーにより回転操作可能なシリンダを備えたシリンダ錠とを有し、
前記シリンダの後端には、回転軸長方向に延びる杆状部の端部に係止片を張り出し、コンセントに形成されるロック孔への挿入後のシリンダへの回転操作により該ロック孔に脱離不能に係止するロック体が固定されるとともに、
シリンダ錠は、前記係止片がプラグ栓刃基端近傍位置と、係止片のロック孔への係止位置との間で進退操作可能なプラグ装置。
【請求項６】
前記シリンダ錠は、縮退位置側に付勢されるとともに、係止片は縮退位置においてプラグケース内に収納される請求項５記載のプラグ装置。
【発明の詳細な説明】
【技術分野】
【０００１】
本発明は、プラグの連結構造に関するものである。
【背景技術】
【０００２】
コンセントにプラグイン接続されたプラグの抜け止めが可能なプラグの連結構造としては、特許文献１に記載のものが知られている。この従来例において、コンセントには、シリンダ錠と回動板とが配置され、プラグ栓刃をプラグインした後、シリンダ錠を施錠回転すると、回動板が回動してプラグ栓刃の孔に挿入し、プラグが抜け止めされる。
【先行技術文献】
【特許文献】
【０００３】
【特許文献１】実開昭５９-１７０９８２号公報
【発明の概要】
【発明が解決しようとする課題】
【０００４】
しかし、上述した従来例は、施錠状態においては抜け止めされるものの、非施錠状態での抜け止めがなされないために、抜け止めを確実にするためには、施錠操作を行う必要があるという問題がある。
【０００５】
本発明は、以上の欠点を解消すべくなされたものであって、施錠状態に加え、非施錠抜け止め状態、すなわち、不用意なプラグの抜去が規制され、かつ、抜去操作は許容される状態をもたせることにより使い勝手を高めたプラグの連結構造の提供を目的とする。また、本発明の他の目的は、上記プラグ連結構造に使用可能なプラグ装置の提供にある。
【課題を解決するための手段】
【０００６】
本発明によれば上記目的は、
プラグ１のプラグ栓刃２をコンセント３に形成される湾曲形状のプラグ差し込み口４の初期挿入位置に挿入した後、終端位置まで回転させてコンセント３のコンタクト５に接続するプラグの連結構造であって、
前記プラグ１は終端回転位置においてコンセント３に係止して抜け止めされるとともに、
プラグ１には、施錠状態においてコンセント３に係止解除不能に係止して該プラグ１を終端位置に拘束する施錠部６が設けられるプラグの連結構造を提供することにより達成される。
【０００７】
コンセント３は初期挿入位置と終端位置とを曲率経路で結んだプラグ差し込み口４を有し、プラグ１のコンセント３への連結は、プラグ栓刃２をプラグ差し込み口４の初期挿入位置に差し込んだ後、プラグ差し込み口４に沿って終端位置まで回転させて行われる。プラグ１の回転操作に伴ってプラグ１はコンセント３に係止し、プラグ１は抜け止めされる。
【０００８】
プラグ１の回転操作に伴う抜け止めは、プラグ１に対する初期挿入位置への回転操作によって解消可能であり、施錠部６を施錠状態にすると、プラグ１は施錠部６を介してコンセント３に拘束され、結果、第三者によるプラグ１の抜去操作を禁止することができる。
【０００９】
したがってこの発明において、プラグ栓刃２を挿入した後、プラグ１を回転操作するだけでプラグ１の抜け止めを行うことができ、さらに、施錠部６を施錠操作することによって第三者による抜去が規制される。
【００１０】
終端位置における抜け止めは、プラグ１の回転操作に伴ってコンセント３にプラグケース１４を係止させることにより行うことができるが、
前記コンセント３のコンタクト５には、終端位置においてプラグ栓刃２の孔７に係止し、初期挿入位置側への移動面に対しては斜行して当該方向の移動を許容するとともに、プラグ栓刃２の抜去方向移動面に対して直交してプラグ１を抜け止めする錐面状周壁を有する抜け止め突起８が設けられるプラグの連結構造を構成すると、構造を簡単にすることができる。
【００１１】
上記プラグの連結構造には、
プラグ栓刃２を保持するプラグケース１４と、
プラグケース１４に保持され、真正な解錠キー１６により回転操作可能なシリンダ９を備えたシリンダ錠１０とを有し、
前記シリンダ９の後端には、回転軸長方向に延びる杆状部１２の端部に係止片１３を張り出し、コンセント３に形成されるロック孔１５への挿入後のシリンダ９への回転操作により該ロック孔１５に脱離不能に係止するロック体１１が固定されるとともに、
シリンダ錠１０は、前記係止片１３がプラグ栓刃２基端近傍位置と、係止片１３のロック孔１５への係止位置との間で進退操作可能なプラグ装置が使用できる。
【００１２】
プラグ装置１のコンセント３への装着は、シリンダ錠１０を縮退状態にしてプラグ栓刃２を挿入した後、シリンダ錠１０を押し出して係止片１３をコンセント３のロック孔７に係止させて行うことができる。この結果、プラグ栓刃２を初期挿入位置に挿入した後、終端位置まで回転させて接続する場合、コンセント３のロック孔１５は、係止片１３の移動経路全長にわたって開口させる必要はなく、終端位置においてのみ対応させればよいために、不必要に大きなロック孔１５を形成する必要がなくなる。
【００１３】
また、
前記シリンダ錠１０は、縮退位置側に付勢されるとともに、係止片１３は縮退位置においてプラグケース１４内に収納されるプラグ装置を構成すると、不使用時に係止片１３をプラグケース１４内に収容しておけるために、係止片１３を折り曲げたりする虞がない。
【発明の効果】
【００１４】
本発明によれば、非施錠抜け止め状態、すなわち、不用意なプラグの抜去が規制され、かつ、抜去操作は許容される状態をもたせることができるために、使い勝手を高めることができる。
【図面の簡単な説明】
【００１５】
【図１】プラグ装置を示す図で、（ａ）は施錠部を断面表示した側面図、（ｂ）は（ａ）の１Ｂ方向矢視図、（ｃ）は（ａ）の正面図である。
【図２】施錠部の動作を示す図で、（ａ）は解錠状態における図１（ｃ）の２Ａ-２Ａ線断面図、（ｂ）は施錠可能状態における図１（ｃ）の２Ａ-２Ａ線断面図である。
【図３】コンセントを示す図で、（ａ）は正面図、（ｂ）はコンタクトを示す図である。
【図４】プラグの接続状態を示す図で、（ａ）は初期挿入位置に装着した状態を示す正面図、（ｂ）はコンタクトとの接触状態を示す説明図、（ｃ）は（ａ）の側面図である。
【図５】プラグの接続状態を示す図で、（ａ）は終端位置まで回転させた状態を示す正面図、（ｂ）はコンタクトとの接触状態を示す説明図である。
【図６】施錠状態を示す図で、（ａ）は断面図、（ｂ）は（ａ）の６Ｂ方向矢視図、（ｃ）はコンタクトを示す拡大図、（ｄ）は（ｃ）の６Ｄ-６Ｄ線断面図である。
【発明を実施するための形態】
【００１６】
図１に示すように、プラグ装置１は、コード１７の端部に接続されるプラグ栓刃２が固定されるプラグケース１４と、プラグケース１４に保持され、後述するロック体１１とともに施錠部６を構成するシリンダ錠１０とを有する。
【００１７】
シリンダ錠１０は、適数のタンブラ１０ｂが装着されたシリンダ９をシリンダケース１０ａに挿入して形成され、真正な解錠キー１６を挿入したときにのみシリンダケース１０ａに対してシリンダ９を回転操作することができる。シリンダ９の後端には、シリンダ９の回転中心（Ｃ）上を後方に向けて延びる杆状部１２の先端に係止片１３を張り出したＴ字状のロック体１１が固定される。
【００１８】
図２に示すように、上記シリンダケース１０ａは、プラグケース１４に形成されるシリンダ保持筒部１４ａ内に前後方向移動自在に収容される。シリンダケース１０ａのシリンダ保持筒部１４ａ内での空転を防止するために、シリンダケース１０ａにはピン１８が打ち込まれ、シリンダ保持筒部１４ａに形成されるガイド孔１４ｂに摺動自在に嵌合する。
【００１９】
また、シリンダケース１０ａは圧縮スプリング１９により前方に付勢され、この状態でロック体１１の端部、すなわち係止片１３はシリンダ保持筒部１４ａ内に収容され、図２（ｂ）に示すように、シリンダ錠１０に押し込み操作力を与えることによってロック体１１をシリンダ保持筒部１４ａ外部に露出させることができる。
【００２０】
以上のプラグ装置を接続するコンセント３は、図３に示すように、コンセントケース３ａ内に端子プレート２０を固定して形成される。コンセントケース３ａには、図４（ｂ）に示すように、プラグ１のプラグ栓刃２を差し込んだ後、図５（ｂ）に示すように、所定角度回転させることができる曲率を有するプラグ差し込み口４が開設される。
【００２１】
端子プレート２０は導電性の良好な金属材料により形成され、ビス等の止着子２０ａを使用してコンセントケース３ａに固定される。この端子プレート２０には２枚のコンタクト５が対向して立ち上げられ、上記プラグ差し込み口４から差し込まれるプラグ栓刃２を挟み付ける。
【００２２】
プラグ１のコンセント３への連結は、図４（ｂ）に示す初期挿入位置からプラグ栓刃２を挿入した後、図５（ｂ）に示す終端位置までプラグ１を回転させて行われる。図６に示すように、一方のコンタクト５には抜け止め突起８が形成され、プラグ栓刃２が終端位置まで回転したときに、プラグ栓刃２に開設された孔７に弾発係止する。
【００２３】
上記抜け止め突起８は、図６（ｃ）、（ｄ）に示すように、周壁が、プラグ１の抜去方向の移動面（図６（ｃ）におけるＷ面）に対しては直交し、初期挿入位置側への移動面（図６（ｄ）におけるＲ面）に対しては斜行する錐面により形成される。この結果、プラグ栓刃２を終端位置方向に回転させると、まず、抜け止め突起８に当接し、さらに回転操作を続けると、コンタクト５は一旦弾性的に撓んでプラグ栓刃２を受容した後、終端位置において弾性復元力により原位置に復帰し、抜け止め突起８がプラグ栓刃２の孔７に弾発的に係止する。
【００２４】
係止状態において抜け止め突起８の直交面に阻まれてプラグ１の抜去が規制されるとともに、初期挿入位置側への操作時には斜面からの分力によりコンタクト５が係止解除方向に移動可能であるために、初期挿入位置に回転操作した後、プラグ１を抜去することができる。
【００２５】
さらに、コンセントケース３ａには、図３（ａ）に示すように、ロック孔１５が開設される。ロック孔１５は、シリンダ錠１０に形成されるロック体１１の係止片１３が挿通可能な矩形孔として形成される。この実施の形態において、ロック孔１５は、プラグ１を上下反転させて装着することができるように、上下に２個配置される。
【００２６】
上述したように、係止片１３は通常状態において、圧縮スプリング１９の付勢力によりプラグケース１４のシリンダ保持筒部１４ａ内に収容されており、図４（ｃ）に示すように、プラグ栓刃２をプラグ差し込み口４に挿入させる際の障害になることはない。上記ロック孔１５は、プラグ１を終端位置まで回転させたときの係止片１３の位置に合致する位置に設けられており、図４（ａ）に示す初期挿入位置からプラグ１を図５に示す終端位置まで回転させた後、図６（ａ）に示すように、シリンダ錠１０を押し込んだ後、シリンダ９を回転操作すると、図６（ｂ）に示すように、係止片１３がロック孔１５周縁に係止され、以後、抜去、およびプラグ１の初期挿入位置側への回転操作が規制される。
【符号の説明】
【００２７】
１        プラグ
２        プラグ栓刃
３        コンセント
４        プラグ差し込み口
５        コンタクト
６        施錠部
７        孔
８        抜け止め突起
９        シリンダ
１０      シリンダ錠
１１      ロック体
１２      杆状部
１３      係止片
１４      プラグケース
１５      ロック孔
１６      解錠キー
【図１】
2010161027.tif 000003
【図２】
2010161027.tif 000004
【図３】
2010161027.tif 000005
【図４】
2010161027.tif 000006
【図５】
2010161027.tif 000007
【図６】
2010161027.tif 000008